【手続補正書】
【提出日】平成21年8月10日(2009.8.10)
【手続補正１】
【補正対象書類名】特許請求の範囲
【補正対象項目名】全文
【補正方法】変更
【補正の内容】
【特許請求の範囲】
【請求項１】
少なくとも１個の一次側磁極部材（１２）と少なくとも部分的に永久磁石が存在しない少なくとも１個の二次側磁極部材（９）とを有し、二次側磁極部材（９）が一次側磁極部材（１２）に面して相前後して位置する複数の歯（１１）を備えた鉄製構造物で構成され、一次側磁極部材（１２）と二次側磁極部材（９）との間に空隙（１８）が存在し、二次側磁極部材（９）と一次側磁極部材（１２）が少なくとも一運動方向にあるいは両運動方向に相対移動できる、永久磁石励磁同期電動機（７、８、１３）の一次側磁極部材（１２）に対する歯モジュール（６）において、
歯モジュール（６）が、運動方向ないしは反運動方向と対向する側に、空隙（１８）に対して垂直に延び、１個の鉄平棒（２）を含んだ少なくとも１枚の鋼板を有し、
片側の鉄平棒（２）間に空所（３）が存在し、
鉄平棒（２）の外部の積層鋼板の周りを少なくとも１個のコイル（５）が導かれ、そのコイル軸線（１５）が空隙（１８）に対して垂直に延び、
コイル（５）で包囲される部位の１個の鉄平棒を含む少なくとも１枚の鋼板が、空隙（１８）から遠い部位よりも僅かしか突出しないように鉄平棒（２）が構成され、
歯モジュール（６）の少なくとも片側に他の歯モジュール（６）を、鉄平棒（２）が隣り合う歯モジュール（６）の空所（３）に各々係合するように取り付けることができ、そのようにして、歯モジュール（６）が種々に設計できる一次側磁極部材（１２）の形に結合でき、
歯モジュール（６）が少なくとも１個の永久磁石（１）を有し、該永久磁石（１）にその両側において少なくとも１個の鉄平棒（２）が隣接している、
ことを特徴とする永久磁石励磁同期電動機（７、８、１３）の一次側磁極部材（１２）に対する歯モジュール。
【請求項２】
永久磁石（１）が空隙（１８）に対して垂直に磁化されている、ことを特徴とする請求項１に記載の永久磁石励磁同期電動機（７、８、１３）の一次側磁極部材（１２）に対する歯モジュール。
【請求項３】
歯モジュール（６）の少なくとも２個の鉄平棒（２）の対向する側面が互いに重なり合っている、ことを特徴とする請求項１記載の永久磁石励磁同期電動機（７、８、１３）の一次側磁極部材（１２）に対する歯モジュール。
【請求項４】
歯モジュール（６）がそれぞれ少なくとも１個の永久磁石（１４）から成る２つの永久磁石群を有し、その一方の永久磁石群の永久磁石（１４）が同じ極性を有し、永久磁石群が異なった磁化方向を有するが、両永久磁石群における磁化方向が空隙（１８）に対して垂直に延び、永久磁石群が、運動方向ないしは半運動方向と対向する側において、永久磁石励磁同期電動機（７、８、１３）の空隙（１８）の側の面に配置されている、ことを特徴とする請求項１ないし３のいずれか１つに記載の永久磁石励磁同期電動機（７、８、１３）の一次側磁極部材（１２）に対する歯モジュール。
【請求項５】
少なくとも１個の鉄平棒（２）が少なくとも１枚の鋼板で構成されている、ことを特徴とする請求項１ないし４のいずれか１つに記載の永久磁石励磁同期電動機（７、８、１３）の一次側磁極部材（１２）に対する歯モジュール。
【請求項６】
歯モジュール（６）がリニアモータ（７）の一次側磁極部材（１２）の形に結合される、ことを特徴とする請求項１ないし５のいずれか１つに記載の永久磁石励磁同期電動機（７、８、１３）の一次側磁極部材（１２）に対する歯モジュール。
【請求項７】
歯モジュール（６）が回転モータの一次側磁極部材（１２）の形に結合される、ことを特徴とする請求項１ないし５のいずれか１つに記載の永久磁石励磁同期電動機（７、８、１３）の一次側磁極部材（１２）に対する歯モジュール。
【請求項８】
歯モジュール（６）がセグメントモータ（８）の一次側磁極部材（１２）の形に結合される、ことを特徴とする請求項７記載の永久磁石励磁同期電動機（７、８、１３）の一次側磁極部材（１２）に対する歯モジュール。
【請求項９】
歯モジュール（６）がトルクモータの一次側磁極部材（１２）の形に結合される、ことを特徴とする請求項７又は８記載の永久磁石励磁同期電動機（７、８、１３）の一次側磁極部材（１２）に対する歯モジュール。
【請求項１０】
歯モジュール（６）がリングモータの一次側磁極部材（１２）の形に結合される、ことを特徴とする請求項７ないし９のいずれか１つに記載の永久磁石励磁同期電動機（７、８、１３）の一次側磁極部材（１２）に対する歯モジュール。
【請求項１１】
鉄平棒（２）が永久磁石（１）に、その各鉄平棒（２）に永久磁石（１）の反対側における空所（３）が対向して位置するように設けられている、ことを特徴とする請求項１、２又は請求項５〜１０のいずれか１つに記載の永久磁石励磁同期電動機（７、８、１３）の一次側磁極部材（１２）に対する歯モジュール。
【請求項１２】
コイル（５）で包囲される部位の１個の鉄平棒（２）を含む少なくとも１枚の鋼板が、空隙（１８）の近くに位置する部位より僅かしか突出せず、このため鋼板に脚（１０）が生じることを特徴とする請求項１ないし１１のいずれか１つに記載の永久磁石励磁同期電動機（７、８、１３）の一次側磁極部材（１２）に対する歯モジュール。
【請求項１３】
少なくとも１個の一次側磁極部材（１２）と少なくとも部分的に永久磁石が存在しない少なくとも１個の二次側磁極部材（９）とを有する永久磁石励磁同期電動機（７、８、１３）において、
二次側磁極部材（９）が一次側磁極部材（１２）に面する複数の歯（１１）を備えた鉄製構造物で構成され、各一次側磁極部材（１２）が、請求項１ないし１２のいずれか１つに記載の少なくとも１個の歯モジュール（６）で構成されている、ことを特徴とする永久磁石励磁同期電動機。
【請求項１４】
二次側磁極部材（９）が内部ロータとして形成されている、ことを特徴とする請求項１３記載の永久磁石励磁同期電動機。
【請求項１５】
二次側磁極部材（９）が外部ロータとして形成されている、ことを特徴とする請求項１３記載の永久磁石励磁同期電動機。
【請求項１６】
二次側磁極部材（９）が積層鋼板で構成されている、ことを特徴とする請求項１３ないし１５のいずれか１つに記載の永久磁石励磁同期電動機。
【請求項１７】
少なくとも１個の一次側磁極部材（１２）と少なくとも区域的に永久磁石が存在しない少なくとも１個の二次側磁極部材（９）とを備え、二次側磁極部材（９）が一次側磁極部材（１２）に面する複数の歯（１１）を備えた鉄製構造物で構成され、一次側磁極部材（１２）と二次側磁極部材（９）との間に空隙（１８）が存在し、二次側磁極部材（９）と一次側磁極部材（１２）が少なくとも一運動方向に或いは両運動方向に相対移動できる永久磁石励磁同期電動機（７、８、１３）の一次側磁極部材（１２）を歯モジュール（６）によりモジュール式に構成する方法において、
各歯モジュール（６）が、運動方向ないしは反運動方向と対向する側に、空隙（１８）に対して垂直に延び、１個の鉄平棒を含む少なくとも１枚の鋼板で構成され、
片側の鉄平棒（２）間に空所（３）が存在し、
鉄平棒（２）の外部の鋼板の周りを少なくとも１個のコイル（５）が導かれ、そのコイル軸線（１５）が空隙（１８）に対して垂直に延び、
コイル（５）で包囲される部位の１個の鉄平棒を含む少なくとも１枚の鋼板が、空隙（１８）から遠い部位よりも僅かしか突出しないように鉄平棒（２）が構成され、
歯モジュール（６）が少なくとも１個の永久磁石（１，１４）を有し、該永久磁石にその両側において少なくとも１個の鉄平棒（２）が隣接し、
その歯モジュール（６）が、鉄平棒（２）が隣り合う歯モジュール（６）の空所（３）に係合するようにして一次側磁極部材（１２）の形に結合される、ことを特徴とする永久磁石励磁同期電動機（７、８、１３）の一次側磁極部材（１２）のモジュール式構成方法。
【請求項１８】
歯モジュール（６）上にコイル（５）が生ずるように線を巻回される、ことを特徴とする請求項１７記載の永久磁石励磁同期電動機（７、８、１３）の一次側磁極部材（１２）のモジュール式構成方法。
【請求項１９】
コイル（５）が歯モジュール（６）上にはめ込まれる、ことを特徴とする請求項１７記載の永久磁石励磁同期電動機（７、８、１３）の一次側磁極部材（１２）のモジュール式構成方法。
【請求項２０】
磁化可能材料を歯モジュール（６）に取り付け、次いで、永久磁石（１、１４）が生ずるように磁化される、ことを特徴とする請求項１７ないし１９のいずれか１つに記載の永久磁石励磁同期電動機（７、８、１３）の一次側磁極部材（１２）のモジュール式構成方法。